(57)【要約】【課題】低Ｃ／Ｎ環境においても精度よく繰り返しシンボル数Ｎを決定し、さらにトレーニング信号区間の割合を調整して復調信号の品質を向上させる。【解決手段】送信信号にトレーニング信号区間とデータ信号区間を有し、当該データ信号区間で同一シンボルデータをシンボル繰り返し数Ｎ（Ｎは１以上の整数）だけ繰り返し送信する送信装置と、受信信号に含まれるトレーニング信号を検出してデータ信号区間を特定し、データ信号区間の同一シンボルデータをシンボル繰り返し数Ｎだけ累積加算してデータ信号を抽出する受信装置とを無線回線を介して対向する通信装置のそれぞれに備えた無線通信システムにおいて、対向する通信装置の環境情報に基づいて、シンボル繰り返し数Ｎおよびトレーニング信号区間の割合Ｒを変更する処理を行う制御手段を備える。【選択図】  図１
2014179757.tif 000002
【特許請求の範囲】
【請求項１】
送信信号にトレーニング信号区間とデータ信号区間を有し、当該データ信号区間で同一シンボルデータをシンボル繰り返し数Ｎ（Ｎは１以上の整数）だけ繰り返し送信する送信装置と、
受信信号に含まれる前記トレーニング信号を検出して前記データ信号区間を特定し、前記データ信号区間の前記同一シンボルデータを前記シンボル繰り返し数Ｎだけ累積加算して前記データ信号を抽出する受信装置と
を無線回線を介して対向する通信装置のそれぞれに備えた無線通信システムにおいて、
前記対向する通信装置の環境情報に基づいて、前記シンボル繰り返し数Ｎおよび前記トレーニング信号区間の割合Ｒを変更する処理を行う制御手段を備えた
ことを特徴とする無線通信システム。
【請求項２】
請求項１に記載の無線通信システムにおいて、
前記対向する通信装置の環境情報は、前記対向する通信装置の位置情報であり、事前に当該位置情報と受信電力分布との関係に基づいて、当該位置情報に対応する前記シンボル繰り返し数Ｎが決められており、
前記制御手段は、前記位置情報に対応して前記シンボル繰り返し数Ｎを変更し、当該シンボル繰り返し数Ｎに対応して前記トレーニング信号区間の割合Ｒを変更する処理を行う構成である
ことを特徴とする無線通信システム。
【請求項３】
請求項２に記載の無線通信システムにおいて、
前記対向する通信装置の環境情報は、前記対向する通信装置における受信信号の信号電力または信号対雑音電力比を含み、
前記制御手段は、前記受信信号の信号電力または信号対雑音電力比が所定値未満のときに、前記位置情報に対応する前記処理を行う構成である
ことを特徴とする無線通信システム。
【請求項４】
請求項２に記載の無線通信システムにおいて、
前記制御手段は、前記対向する通信装置の一方の通信装置で前記位置情報に対応して設定した前記シンボル繰り返し数Ｎおよび前記トレーニング信号区間の割合Ｒを他方の通信装置に通知する、または前記対向する通信装置のそれぞれで前記位置情報に対応する前記シンボル繰り返し数Ｎおよび前記トレーニング信号区間の割合Ｒを設定する構成である
ことを特徴とする無線通信システム。
【請求項５】
無線回線を介して対向する通信装置のそれぞれに送信装置および受信装置を備え、
前記送信装置は、送信信号にトレーニング信号区間とデータ信号区間を有し、当該データ信号区間で同一シンボルデータをシンボル繰り返し数Ｎ（Ｎは１以上の整数）だけ繰り返し送信し、
前記受信装置は、受信信号に含まれる前記トレーニング信号を検出して前記データ信号区間を特定し、前記データ信号区間の前記同一シンボルデータを前記シンボル繰り返し数Ｎだけ累積加算して前記データ信号を抽出し、
前記対向する通信装置間で無線通信を行う無線通信方法において、
前記対向する通信装置の環境情報に基づいて、前記シンボル繰り返し数Ｎおよび前記トレーニング信号区間の割合Ｒを変更する処理を行う
ことを特徴とする無線通信方法。
【請求項６】
請求項５に記載の無線通信方法において、
前記対向する通信装置の環境情報は、前記対向する通信装置の位置情報であり、事前に当該位置情報と受信電力分布との関係に基づいて、当該位置情報に対応する前記シンボル繰り返し数Ｎが決められており、
前記位置情報に対応して前記シンボル繰り返し数Ｎを変更し、当該シンボル繰り返し数Ｎに対応して前記トレーニング信号区間の割合Ｒを変更する処理を行う
ことを特徴とする無線通信方法。
【請求項７】
請求項６に記載の無線通信方法において、
前記対向する通信装置の環境情報は、前記対向する通信装置における受信信号の信号電力または信号対雑音電力比を含み、
前記受信信号の信号電力または信号対雑音電力比が所定値未満のときに、前記位置情報に対応する前記処理を行う
ことを特徴とする無線通信方法。
【請求項８】
請求項６に記載の無線通信方法において、
前記対向する通信装置の一方の通信装置で前記位置情報に対応して設定した前記シンボル繰り返し数Ｎおよび前記トレーニング信号区間の割合Ｒを他方の通信装置に通知する、または前記対向する通信装置のそれぞれで前記位置情報に対応する前記シンボル繰り返し数Ｎおよび前記トレーニング信号区間の割合Ｒを設定する
ことを特徴とする無線通信方法。
【発明の詳細な説明】
【技術分野】
【０００１】
本発明は、時間軸上で繰り返し送信されるデータ信号を受信側で累積加算することにより雑音の影響を緩和し、無線通信における伝送品質を維持する無線通信システムおよび無線通信方法に関する。
【背景技術】
【０００２】
図５は、可変シンボルレート方式に対応する無線通信システムの構成例を示す。図５(a) は送信装置の構成を示し、図５(b) は受信装置の構成を示す。
図５(a) に示す送信装置は、変調回路５０１、シンボルクロック生成回路５０２、シンボル繰り返し数Ｎ設定回路５０３、Ｎ分周回路５０４、トレーニング信号生成回路５０５、加算回路５０６、送信フィルタ５０７を含む構成である。Ｎは１以上の整数である。
【０００３】
シンボル繰り返し数Ｎ設定回路５０３は、受信装置から通知されたシンボル繰り返し数ＮをＮ分周回路５０４に設定する。Ｎ分周回路５０４は、シンボルクロック生成回路５０２から出力されるシンボルクロックをＮ分周して変調回路５０１に与える。変調回路５０１は、入力する情報信号をＮ分周シンボルクロックに応じて変調し、同一シンボルデータがＮ回繰り返されるデータ信号を出力する。加算回路５０６は、変調回路５０１から出力されるデータ信号とトレーニング信号生成回路５０５で生成されるトレーニング信号とを加算合成し、形成された送信フレームは送信フィルタ５０７で波形整形された後に、図示しない送信手段から送信される。
【０００４】
図５(b) に示す受信装置は、受信フィルタ５１１、フレーム同期回路５１２、シンボルクロック再生回路５１３、周波数位相同期回路５１４、トレーニング信号除去回路５１５、シンボル繰り返し数Ｎ設定回路５１６、Ｎ分周回路５１７、Ｎ累積加算回路５１８、シンボル抽出回路５１９を含む構成である。
【０００５】
受信フィルタ５１１は、図示しない受信手段で受信処理した受信信号を波形整形してフレーム同期回路５１２に入力する。フレーム同期回路５１２は、フレーム同期を確立した受信フレームをシンボルクロック再生回路５１３、周波数位相同期回路５１４、トレーニング信号除去回路５１５に入力する。シンボルクロック再生回路５１３は、受信フレームから再生したシンボルクロックをフレーム同期回路５１２、周波数位相同期回路５１４、トレーニング信号除去回路５１５、Ｎ分周回路５１７に入力する。トレーニング信号除去回路５１５は、シンボルクロックに応じて受信フレームからトレーニング信号を除去し、データ信号を抽出してＮ累積加算回路５１８に入力する。
【０００６】
シンボル繰り返し数Ｎ設定回路５１６は、受信信号の信号電力または信号対雑音電力比（以下、受信Ｃ／Ｎという）に応じたシンボル繰り返し数Ｎを決定し、Ｎ分周回路５１７およびＮ累積加算回路５１８に設定するとともに、図示しない送信手段を介して送信装置に送信する。Ｎ累積加算回路５１８は、データ信号をシンボル繰り返し数Ｎだけ累積加算して同相合成し、シンボル抽出回路５１９に入力する。シンボル抽出回路５１９は、Ｎ分周回路５１７から入力するＮ分周シンボルクロックに応じて、同相合成されたデータ信号からシンボルデータを抽出する。
【０００７】
図６は、受信Ｃ／Ｎからシンボル繰り返し数Ｎを決定する処理手順を示す。
図６において、受信装置のシンボル繰り返し数Ｎ設定回路５１６は、受信信号から受信Ｃ／Ｎを推定する（Ｓ21）。次に、受信Ｃ／Ｎとシンボル繰り返し数Ｎをパラメータとした受信品質一覧テーブルを参照し、受信Ｃ／ＮがＴh1（ｄＢ) 以上であればシンボル繰り返し数Ｎを１とし（Ｓ22，Ｓ23）、受信Ｃ／ＮがＴh1（ｄＢ) 未満かつＴh2（ｄＢ) 以上であればシンボル繰り返し数Ｎを２とし（Ｓ24，Ｓ25）、受信Ｃ／ＮがＴh2（ｄＢ) 未満かつＴh3（ｄＢ) 以上であればシンボル繰り返し数Ｎを４とし（Ｓ26，Ｓ27）、受信Ｃ／ＮがＴh3（ｄＢ) 未満であればシンボル繰り返し数Ｎを８とする（Ｓ28）。
【０００８】
ここで決定されたシンボル繰り返し数Ｎは、受信装置のＮ分周回路５１７およびＮ累積加算回路５１８に設定されるとともに、送信装置に送信される（Ｓ29）。これにより、送信装置では、受信装置の受信Ｃ／Ｎに応じて設定されたシンボル繰り返し数Ｎを用いて、同一シンボルデータがＮ回繰り返し送信され、受信装置でデータ信号をシンボル繰り返し数Ｎだけ累積加算してシンボルデータを抽出することにより、雑音の影響を緩和して無線通信における伝送品質を維持することができる。
【０００９】
図７は、フレーム構成例を示す。
図７において、フレーム長は8.32ｍsec に固定されており、シンボルレートに応じたシンボル数のデータ信号（データ１，データ２）と、トレーニング信号（プリアンブル、ミッドアンブル、ポストアンブル）から構成されている。シンボルレートを低くする場合、最高シンボルレートで同一シンボルを繰り返し送信することにより、等価的にシンボルレートを低くする。受信Ｃ／Ｎは、既知パターンであるトレーニング信号を用いて推定する。
【先行技術文献】
【非特許文献】
【００１０】
【非特許文献１】”可変シンボルレート・変調多値数適応変調方式の伝送特性”、信学技報RCS95-30(1995-05) pp.25-30
【発明の概要】
【発明が解決しようとする課題】
【００１１】
受信Ｃ／Ｎが０ｄＢを下回るような低Ｃ／Ｎ環境において、フレーム内のデータ信号とトレーニング信号のシンボル数が固定されている場合、雑音により、再生キャリア位相の推定精度の劣化や残留周波数誤差の影響により周波数位相の同期確立が困難になる。
【００１２】
また、受信装置では限られたトレーニング信号を用いて受信Ｃ／Ｎを推定するので、雑音の平滑化ができず推定精度が劣化する。この場合、受信Ｃ／Ｎを高精度に推定することが困難となり、繰り返しシンボル数Ｎの切り替えが困難となる。
【００１３】
このように、低Ｃ／Ｎ環境において、周波数位相同期確立や受信Ｃ／Ｎ推定が困難になれば、受信信号の復調が困難になる。
【００１４】
本発明は、低Ｃ／Ｎ環境においても精度よく繰り返しシンボル数Ｎを決定し、さらにトレーニング信号区間の割合を調整して復調信号の品質を向上させることができる無線通信システムおよび無線通信方法を提供することを目的とする。
【課題を解決するための手段】
【００１５】
第１の発明は、送信信号にトレーニング信号区間とデータ信号区間を有し、当該データ信号区間で同一シンボルデータをシンボル繰り返し数Ｎ（Ｎは１以上の整数）だけ繰り返し送信する送信装置と、受信信号に含まれるトレーニング信号を検出してデータ信号区間を特定し、データ信号区間の同一シンボルデータをシンボル繰り返し数Ｎだけ累積加算してデータ信号を抽出する受信装置とを無線回線を介して対向する通信装置のそれぞれに備えた無線通信システムにおいて、対向する通信装置の環境情報に基づいて、シンボル繰り返し数Ｎおよびトレーニング信号区間の割合Ｒを変更する処理を行う制御手段を備える。  
【００１６】
第１の発明の無線通信システムにおいて、対向する通信装置の環境情報は、対向する通信装置の位置情報を含み、事前に当該位置情報と受信電力分布との関係に基づいて、当該位置情報に対応するシンボル繰り返し数Ｎが決められており、制御手段は、位置情報に対応してシンボル繰り返し数Ｎを変更し、当該シンボル繰り返し数Ｎに対応してトレーニング信号区間の割合Ｒを変更する処理を行う構成である。
【００１７】
第１の発明の無線通信システムにおいて、対向する通信装置の環境情報は、対向する通信装置における受信信号の信号電力または信号対雑音電力比を含み、制御手段は、受信信号の信号電力または信号対雑音電力比が所定値未満のときに、位置情報に対応する処理を行う構成である。
【００１８】
第１の発明の無線通信システムにおいて、制御手段は、対向する通信装置の一方の通信装置で位置情報に対応して設定したシンボル繰り返し数Ｎおよびトレーニング信号区間の割合Ｒを他方の通信装置に通知する、または対向する通信装置のそれぞれで位置情報に対応するシンボル繰り返し数Ｎおよびトレーニング信号区間の割合Ｒを設定する構成である。
【００１９】
第２の発明は、無線回線を介して対向する通信装置のそれぞれに送信装置および受信装置を備え、送信装置は、送信信号にトレーニング信号区間とデータ信号区間を有し、当該データ信号区間で同一シンボルデータをシンボル繰り返し数Ｎ（Ｎは１以上の整数）だけ繰り返し送信し、受信装置は、受信信号に含まれるトレーニング信号を検出してデータ信号区間を特定し、データ信号区間の同一シンボルデータをシンボル繰り返し数Ｎだけ累積加算してデータ信号を抽出し、対向する通信装置間で無線通信を行う無線通信方法において、対向する通信装置の環境情報に基づいて、シンボル繰り返し数Ｎおよびトレーニング信号区間の割合Ｒを変更する処理を行う。
【００２０】
第２の発明の無線通信方法において、対向する通信装置の環境情報は、対向する通信装置の位置情報を含み、事前に当該位置情報と受信電力分布との関係に基づいて、当該位置情報に対応するシンボル繰り返し数Ｎが決められており、位置情報に対応してシンボル繰り返し数Ｎを変更し、当該シンボル繰り返し数Ｎに対応してトレーニング信号区間の割合Ｒを変更する処理を行う。
【００２１】
第２の発明の無線通信方法において、対向する通信装置の環境情報は、対向する通信装置における受信信号の信号電力または信号対雑音電力比を含み、受信信号の信号電力または信号対雑音電力比が所定値未満のときに、位置情報に対応する処理を行う。
【００２２】
第２の発明の無線通信方法において、対向する通信装置の一方の通信装置で位置情報に対応して設定したシンボル繰り返し数Ｎおよびトレーニング信号区間の割合Ｒを他方の通信装置に通知する、または対向する通信装置のそれぞれで位置情報に対応するシンボル繰り返し数Ｎおよびトレーニング信号区間の割合Ｒを設定する。
【発明の効果】
【００２３】
本発明は、送信装置の位置情報に対応するシンボル繰り返し数Ｎを決定し、さらにトレーニング信号区間の割合Ｒを調整することにより、低Ｃ／Ｎ環境においても、送信装置の位置情報からシンボル繰り返し数Ｎを増やし、トレーニング信号区間を長くすることができ、復調信号の品質を向上させることができる。
【図面の簡単な説明】
【００２４】
【図１】本発明の実施例１における処理手順例を示すフローチャートである。
【図２】衛星ＥＩＲＰマップの一例を示す図である。
【図３】本発明の実施例２における処理手順例を示すフローチャートである。
【図４】本発明の実施例３における処理手順例を示すフローチャートである。
【図５】可変シンボルレート方式に対応する無線通信システムの構成例を示す図である。
【図６】受信Ｃ／Ｎからシンボル繰り返し数Ｎを決定する処理手順を示すフローチャートである。
【図７】フレーム構成例を示す図である。
【発明を実施するための形態】
【００２５】
本発明の無線通信システムおよび無線通信方法の実施例として、衛星中継局を介して通信するユーザ局と基地局により構成される衛星通信システムを想定し、位置情報を取得するためのＧＰＳ（Global Positioning System)付きのユーザ局が送信装置となり、基地局が受信装置となる場合を示す。すなわち、送信装置であるユーザ局から位置情報を受信装置である基地局に通知し、受信装置である基地局がシンボル繰り返し数Ｎを決定し、送信装置であるユーザ局に通知し、ユーザ局および基地局はそのシンボル繰り返し数Ｎに基づくフレームを送受信する。なお、基地局が送信装置となり、ユーザ局が受信装置となる場合は、受信装置であるユーザ局から位置情報を送信装置である基地局へ通知し、送信装置である基地局がシンボル繰り返し数Ｎを決定し、受信装置であるユーザ局に通知することになる。
【００２６】
（実施例１）
図１は、本発明の実施例１における処理手順例を示す。
図１において、送信装置（ユーザ局）のシンボル繰り返し数Ｎ設定回路５０３は位置情報を取得し、衛星中継局を介して受信装置（基地局）に送信する（Ｓ１）。受信装置（基地局）のシンボル繰り返し数Ｎ設定回路５１６は、受信信号から送信装置（ユーザ局）の位置情報を抽出し、さらに受信信号から受信Ｃ／Ｎを推定する（Ｓ２）。ここで、推定した受信Ｃ／Ｎと別途設定された閾値Ｔh(ｄＢ) を比較し（Ｓ３）、推定した受信Ｃ／Ｎが閾値Ｔh(ｄＢ) 未満であれば（Ｓ３：Yes ）、受信Ｃ／Ｎの推定精度が低いと判断し、受信装置（基地局）が別途保有している衛星ＥＩＲＰ（Effective Isotropic Radiated Power）マップ情報を参照し、送信装置（ユーザ局）の位置情報に対応するエリア１〜４を判定する（Ｓ４）。その後は、受信Ｃ／Ｎを用いることなく、送信装置（ユーザ局）が位置するエリアに応じた繰り返しシンボル数Ｎ、トレーニング信号区間の割合Ｒを設定する（Ｓ５〜Ｓ11）。
【００２７】
図２は、衛星ＥＩＲＰマップ情報の一例を示す。
図２において、衛星ＥＩＲＰ＞53dBＷをエリア１、53dBＷ＞衛星ＥＩＲＰ＞50dBＷをエリア２、50dBＷ＞衛星ＥＩＲＰ＞47dBＷをエリア３、47dBＷ＞衛星ＥＩＲＰをエリア４として、地表面を４分割する。
【００２８】
このような衛星ＥＩＲＰマップ情報により、送信装置（ユーザ局）の位置情報からエリアに応じた衛星ＥＩＲＰが分かるので、回線設計から受信Ｃ／Ｎを推定でき、その情報をもって必要な繰り返しシンボル数Ｎを設定する。ここでは、送信装置（ユーザ局）の位置情報が示す各エリアと、繰り返しシンボル数Ｎを対応付けておき、例えばエリア１はＮ＝１、エリア２はＮ＝２、エリア３はＮ＝４、エリア４はＮ＝８とする。
【００２９】
図１に示すステップＳ４において、送信装置（ユーザ局）の位置情報に対応するエリア１〜４を判定し、送信装置（ユーザ局）がエリア１の場合はＮ＝１（Ｓ５，Ｓ６）、エリア２の場合はＮ＝２（Ｓ７，Ｓ８）、エリア３の場合はＮ＝４（Ｓ９，Ｓ10）、その他（エリア４）の場合はＮ＝８とする（Ｓ11）。
【００３０】
さらに、繰り返しシンボル数Ｎと、トレーニング信号区間の割合Ｒを予め対応付けておき、Ｎ＝１の場合はＲ＝ｒ１、Ｎ＝２の場合はＲ＝ｒ２、Ｎ＝４の場合はＲ＝ｒ３、Ｎ＝８の場合はＲ＝ｒ４とする。ここで、ｒ１，ｒ２，ｒ３，ｒ４の順番にトレーニング信号区間の割合が増えるものとする。
【００３１】
次に、受信装置（基地局）のシンボル繰り返し数Ｎ設定回路５１６は、送信装置（ユーザ局）の位置情報に応じて設定した繰り返しシンボル数Ｎと、トレーニング信号区間の割合Ｒを送信装置（ユーザ局）へ送信する（Ｓ12）。そして、送信装置（ユーザ局）のシンボル繰り返し数Ｎ設定回路５０３は、当該繰り返しシンボル数Ｎとトレーニング信号区間の割合Ｒに応じた設定を行い、送信フレームを生成して送信する。
【００３２】
なお、ステップＳ３において、推定した受信Ｃ／Ｎが閾値Ｔh(ｄＢ) 以上であり、受信Ｃ／Ｎの推定精度が高いと判断された場合には、送信装置（ユーザ局）の位置情報に拘らず、送信装置（ユーザ局）がエリア１と判定された場合と同様にＮ＝１およびＲ＝ｒ１に設定する（Ｓ６）。
【００３３】
（実施例２）
図３は、本発明の実施例２における処理手順例を示す。
実施例２では、受信装置（基地局）は受信信号から送信装置（ユーザ局）の位置情報のみを抽出し（Ｓ２’）、受信Ｃ／Ｎを推定せずに送信装置（ユーザ局）の位置情報のみに応じて、繰り返しシンボル数Ｎおよびトレーニング信号区間の割合Ｒを設定する処理を行うことを特徴とする。すなわち、実施例１におけるステップＳ３の処理が省略される。
【００３４】
（実施例３）
実施例１および実施例２では、受信装置（基地局）が送信装置（ユーザ局）の位置情報を抽出し、その位置情報に応じて設定した繰り返しシンボル数Ｎおよびトレーニング信号区間の割合Ｒを送信装置（ユーザ局）に通知し、送信装置（ユーザ局）が対応する送信フレームを生成していた。
【００３５】
実施例３では、送信装置（ユーザ局）が受信装置（基地局）と同様の衛星ＥＩＲＰマップ情報を有することで、送信装置（ユーザ局）が自らの位置情報と衛星ＥＩＲＰマップ情報をもとに、繰り返しシンボル数Ｎおよびトレーニング信号区間の割合Ｒを設定し、対応する送信フレームを生成して送信する。また、受信装置（基地局）は、送信装置（ユーザ局）の位置情報から判定されるエリア１〜４用の各同期回路を備え、同期確立した回路情報から受信フレームの繰り返しシンボル数Ｎおよびトレーニング信号区間の割合Ｒを推定してもよい。
【００３６】
この場合には、図４に示すように、受信装置（基地局）から送信装置（ユーザ局）へ繰り返しシンボル数Ｎおよびトレーニング信号区間の割合Ｒを送信する処理（図１，図３のＳ12）は不要となる。
【００３７】
以上の実施例は、衛星通信システムにおけるユーザ局を送信装置とし、基地局を受信装置として説明した。一方、基地局が送信装置となり、ユーザ局が受信装置となる場合は、図１、図３および図４の「送信装置」と「受信装置」を入れ替えるものとする。
【００３８】
すなわち、ステップＳ１では、受信装置（ユーザ局）のシンボル繰り返し数Ｎ設定回路５１６は位置情報を取得し、衛星中継局を介して送信装置（基地局）に送信する。ステップＳ２では、送信装置（基地局）のシンボル繰り返し数Ｎ設定回路５０３は、受信信号から受信装置（ユーザ局）の位置情報を抽出し、さらに受信信号から受信Ｃ／Ｎを推定する。ステップＳ４では、送信装置（基地局）は、受信装置（ユーザ局）の位置情報に対応するエリア１〜４を判定する。ステップＳ12では、送信装置（基地局）のシンボル繰り返し数Ｎ設定回路５０３は、受信装置（ユーザ局）の位置情報に応じて設定した繰り返しシンボル数Ｎと、トレーニング信号区間の割合Ｒを受信装置（ユーザ局）へ送信する。そして、送信装置（基地局）のシンボル繰り返し数Ｎ設定回路５０３は、当該繰り返しシンボル数Ｎとトレーニング信号区間の割合Ｒに応じた設定を行い、送信フレームを生成して送信する。受信装置（ユーザ局）のシンボル繰り返し数Ｎ設定回路５１６は、送信装置（基地局）から通知される繰り返しシンボル数Ｎとトレーニング信号区間の割合Ｒに応じた設定を行い、送信フレームを受信する。
【符号の説明】
【００３９】
５０１  変調回路
５０２  シンボルクロック生成回路
５０３  シンボル繰り返し数Ｎ設定回路
５０４  Ｎ分周回路
５０５  トレーニング信号生成回路
５０６  加算回路
５０７  送信フィルタ
５１１  受信フィルタ
５１２  フレーム同期回路
５１３  シンボルクロック再生回路
５１４  周波数位相同期回路
５１５  トレーニング信号除去回路
５１６  シンボル繰り返し数Ｎ設定回路
５１７  Ｎ分周回路
５１８  Ｎ累積加算回路
５１９  シンボル抽出回路
【図１】
2014179757.tif 000003
【図２】
2014179757.tif 000004
【図３】
2014179757.tif 000005
【図４】
2014179757.tif 000006
【図５】
2014179757.tif 000007
【図６】
2014179757.tif 000008
【図７】
2014179757.tif 000009